(57)【要約】【課題】  低コストでファンを組み付けしやすいファン取り付け台のあるケーシング構造を提供する。【解決手段】  少なくとも一つの折曲げ部を備えるケーシングを備え、折曲げ部はケーシングの底面の一端縁からケーシングの頂上面方向に向かって折曲げられ、折曲げ部とケーシング底面の一端縁とはある隙間により隔てられ、折曲げ部とケーシングの一側面とはある距離で隔てられ、折曲げ部には少なくとも一つの第一固定部が設けられ、折曲げ部は第一固定部によってファンをケーシングに固定することを可能にする。【選択図】    図２
0003109174.tif 000002
【実用新案登録請求の範囲】
【請求項１】
少なくとも一つの折曲げ部を有するケーシングを備え、
前記折曲げ部はケーシングの底面の一端縁からケーシングの頂上面方向に向かって折曲げられ、前記折曲げ部とケーシング底面の一端縁とはある隙間により隔てられ、前記折曲げ部とケーシングの一側面とはある距離で隔てられ、前記折曲げ部には少なくとも一つの第一固定部が設けられ、前記折曲げ部は第一固定部によってファンをケーシングに固定可能であることを特徴とするファン取り付け台のあるケーシング構造。
【請求項２】
前記折曲げ部のケーシングの底面から離れた一端は、ケーシングの底面方向に向かって曲げられた円弧状であることを特徴とする請求項１に記載のファン取り付け台のあるケーシング構造。
【請求項３】
前記ケーシングの少なくとも一側面には複数個の通気孔が設けられることを特徴とする請求項１に記載のファン取り付け台のあるケーシング構造。
【請求項４】
前記ケーシングの底面には複数個の第二固定部が設けられ、前記第二固定部はケーシング内に設置される物体の固定に供されることを特徴とする請求項１に記載のファン取り付け台のあるケーシング構造。
【請求項５】
前記折曲げ部にある第一固定部はファンに設けられたファンねじ孔と相合わせることが可能で、前記第一固定部とファンねじ孔の間はねじによってねじ付けられ、ファンをケーシングに固定することを特徴とする請求項１に記載のファン取り付け台のあるケーシング構造。
【請求項６】
前記ケーシングは、
ケーシングの頂上面を蓋してケーシングの頂上面を遮蔽する蓋と、
折曲げ部に面する位置に設けられ、かつ蓋と隣接する折曲げ部の一端縁と接触してケーシングの内部及びファンを遮蔽する当板と、
を備えることを特徴とする請求項１に記載のファン取り付け台のあるケーシング構造。
【請求項７】
前記当板のファンに対応する位置には複数個の通気孔が設けられることを特徴とする請求項６に記載のファン取り付け台のあるケーシング構造。
【請求項８】
前記ケーシングの頂上面の辺縁にはケーシングの中央に向かって少なくとも一つの保護部が設けられることを特徴とする請求項１または請求項６に記載のファン取り付け台のあるケーシング構造。
【請求項９】
前記ケーシング底面の折曲げ部に隣接する位置には、蓋へ向かう方向に導電性のある当て付け部が延伸して設けられることを特徴とする請求項６に記載のファン取り付け台のあるケーシング構造。
【請求項１０】
前記ケーシングは、
ケーシングの頂上面に設けられる複数個の第三固定部と、
蓋の各第三固定部に対応する位置に設けられる複数個の蓋孔と、
それぞれ対応する蓋孔に沿って対応する第三固定部へ挿入され、蓋をケーシングに固定する複数個の蓋ねじと
を備えることを特徴とする請求項６に記載のファン取り付け台のあるケーシング構造。
【考案の詳細な説明】
【技術分野】
【０００１】
本考案は、ファン取り付け台のあるケーシング構造に関する。
【背景技術】
【０００２】
現在、世界はすでにハイテク時代へ驀進し、各種精密な電子製品の使用率は着々と上昇しており、例えば日常生活に使われるパーソナル・コンピュータまたはサーバ（例えばブレード・サーバ）等がある。それらパソコンまたはサーバ内には多くの電子製品（例えばＣＤ―ＲＯＭドライブ、フレキシブルディスクドライブ等）及び電子部品（例えばＣＰＵ、影像運算チップ、抵抗、キャパシタンス、インダクタンス及び半導体チップ等）が含まれ、これら電子製品及び電子部品が運転されると電流効果によって熱エネルギーが発生し、電子製品及び電子部品の表面から発散される。ところが、パソコンまたはサーバ内部の温度が高すぎると、これら電子製品及び電子部品が正常に運転できなくなることがある。したがって、これらパソコンまたはサーバにおいて、これらの電子製品及び電子部品が正常な運転温度の範囲内に使用できるかは極めて重要かつ必要な事項である。言い換えれば排熱能力は電子製品の安定性及び耐久性にかかる一大研究重点である。そのため、各企業体及びメーカにおいて、パソコンまたはサーバの排熱問題に対し、多くの方法が研究開発されている。
【０００３】
現在のパソコンまたはサーバ等システムの排熱方法の選択について、それは概して排熱ファンを使用しており、排熱ファンの主な目的はパソコンまたはサーバの外側の空気を内部に導き、ケーシング内の空気をケーシング外へ送り出す。それによってパソコンまたはサーバ等は電子部品が使用されて発生する高温を下げることができる。
【０００４】
図１に示すように、従来の実施例に於いて、一般パソコンまたはサーバの拡張カードにはケーシング１０があり、ケーシング１０内には取り付け溝１１が設けられ、取り付け溝１１は最少一つの電子製品１０１（例えばハードディスク・ドライブ）、電子部品１０２（例えば変圧器）、またはプリント回路板１０３（例えばメイン・ボード）等の取り付けに供される。各電子製品１０１、電子部品１０２等が正常に使用されている場合、それに発生する電磁ノイズはケーシング１０によって吸収されるため、それがケーシング１０外へ発散されて外の電子機器製品及び各種動植物へ影響を与えるのを防ぐことができ、また、外界の電磁ノイズがケーシング１０内に侵入し、それの部品が干渉されて正常に運転できないようになることを防ぐことができる。すなわち、ケーシング１０によって電磁干渉を防ぐ目的が達成される。
この他、ケーシング１０の構造設計により、外界の雑物（例えば灰じんまたは昆虫）が部材上に付着せず、ケーシング１０内をきれいに保持し、かつ吸湿性の雑物が付着してプリント回路板１０３上の各回路間にショートが発生することを防ぐ。
【０００５】
また、各電子製品１０１及び電子部品１０２は、運転されると熱エネルギーを発散してケーシング１０内の温度は逐次高くなるが、そのために取り付け溝１１には複数個のファン１２が取り付けられており、ケーシング１０内の電源がファン１２に送られるとファン１２は回転し始め、ケーシング１０内の空気は流れて電子製品１０１及び電子部品１０２から発生した熱エネルギーは迅速に持ち去られ、ケーシング１０内の温度は流れる空気によって調節され下げられる。
【０００６】
更に、図１に示すように、従来の実施例に於いて、それには定位置台１３が設けられ、その定位置台１３の両背中合わせの側辺はちょうど取り付け溝１１の両相対端面と互いに貼り合わせられて定位置台１３はケーシング１０と互いに嵌め合わせることができる。この他、定位置台１３の各電子部品１０２に面する一面には複数個の矩形排列されたねじ孔１３１が設けられ、ファン１２には四つのねじ孔１３１に相対する個所にそれぞれ孔１２１が設けられる。ファン１２をそれぞれその定位置台１３と接するようにし、複数個のねじ１２２がそれぞれ孔１２１に通されて対応するねじ孔１３１まで延伸すれば、ファン１２をその定位置台１３に固定することができ、ファン１２が始動されると各電子製品１０１または電子部品１０２の方向に風が送られ、各電子製品１０１または電子部品１０２で発生される熱エネルギーは流れる空気によって迅速に電子製品１０１または電子部品１０２から引き離される。
【０００７】
ところが、このような設計はそれらファン１２をケーシング１０内に固定するので、ファン１２が四本のねじ１２２によって定位置台１３に固定され、更にその固定台１３を取り付け溝１１に固定するので、多くのねじ１２２を使い、組み付けコストを高くするだけでなく、定位置台１３の設計は取り付け手順を面倒にしてしまい、現在の情報関連製品のように、取り外しが容易で低コストで組み付けやすく、消費者が簡単迅速に部品を交換することができ、コストを節約することができるという設計理念に合致しない。
【考案の開示】
【考案が解決しようとする課題】
【０００８】
そのためにいかにしてパソコンまたはサーバにファン取り付け台のあるケーシング構造を設計するかということは、現時点の早急に改善するべき重要課題である。
【課題を解決するための手段】
【０００９】
前記ケーシングに必要とする排熱効果を達成するときにコストの上昇等多くの困難に直面することに鑑み、考案者は長年の技術経験及び累積された専門知識により、上記問題について本考案のファン取り付け台のあるケーシング構造を開発設計することができた。
本考案によるファン取り付け台のあるケーシング構造は、ケーシング底面の一端縁に最少一つの折曲げ部を設け、その折曲げ部はケーシングの頂上面方向に向かって折曲げられ、それぞれファンの取り付けに供され、折曲げ部に設けられる第一固定部によりファンを折曲げ部に固定することができ、ファンが始動されるとケーシング外の空気がケーシング内に引き込まれるか、またはケーシング内の空気はケーシング外へ送り出され、ケーシング内外の空気が交換されることによってケーシング内の電子部品が運転された時に発生する熱エネルギーを下げる。
【考案を実施するための最良の形態】
【００１０】
本考案の一実施例によるファン取り付け台のあるケーシング構造は、図２に示すように、ケーシング２底面の一端縁に最少一つの折曲げ部４が設けられ、折曲げ部４はケーシング２の底面の一端縁からケーシング２の頂上面方向に向かって折曲げられ、折曲げ部４とケーシング２の底面の一端縁とはある隙間をもって隔てられ、折曲げ部４はそれぞれファン５（例えばコンピュータのファン）の取り付けに供され、各ファン５のケーシング２に面する一面はケーシング２内に隠蔽され、他面はケーシング２の外へ面し、これにより、ファン５が一方向（例えば時計針方向）に持続回転した場合はケーシング２外の空気をケーシング２内に引き込むことができ、また、ファン５が別の方向（例えば逆時計針方向）に持続回転した場合はケーシング２内の空気をケーシング２外へ送り出すことができ、ケーシング２内外の空気が交換されることによってケーシング２内の電子部品が運転された時に発生する熱エネルギーを下げる。
【００１１】
また、図２に示すように、ファン５には枠台５３が設けられ、枠台５３の中央個所には円形溝５４が設けられ、円形溝５４はモータ５１及びモータ５１に連接される複数個のファンブレード５２の設置に供され、ファン５の枠台５３外縁と円形溝５４の外縁との間の四つ角個所にはそれぞれファンねじ５５が設けられ、折曲げ部４の各ファンねじ５５と対応する個所には第一固定部４１が設けられ（例えばその折曲げ部のケーシング中央に面する方向の両端にはそれぞれ開口が設けられ）る。ファン５を一面が折曲げ部４のケーシング２中央位置に面する一面に貼り付け、第一固定部４１をそれぞれ各ファンねじ孔５５に合わせ、各ファンねじ孔５５に対応するねじ付け部材５６（例えばビス）によってケーシング２の外からそれぞれ対応する第一固定部４１に通し、更に対応するファンねじ孔５５からケーシング２内に通せば、ファン５とケーシング２とをしっかりと連結することができる。この他、折曲げ部４のケーシング２底面に背向けする一端はケーシング２底面方向に向かって円弧形状をなしているので、モータ５１が電源を受けファンブレード５２が円形溝５４内でモータ５１に沿って回転するとき、折曲げ部４はファン５の吸気または排気時の機能を妨げない。
【００１２】
さらに、図２に示すように、ケーシング２の側面にはそれぞれ複数個の通気孔６が設けられ、ファン５が始動されるとケーシング２外の空気はケーシング２内に引き込まれ、ケーシング２の内部は正圧区域（Positive  Pressure  Zone）の状態になり、それによってケーシング２内の空気は通気孔６から迅速にケーシング２外に送られる。また、ファン５が始動されるとケーシング２内の空気はケーシング２外に送られ、ケーシング２の内部は負圧区域（Negative  Pressure  Zone）の状態になり、ケーシング２外の空気は各通気孔からケーシング２内に吸い込まれる。このように、通気孔６の設計を通じてケーシング２内の空気は迅速にケーシング２外の空気と交換され、ケーシング２内の熱エネルギーは迅速に排出される。
【００１３】
更に図３に示すように、ケーシング２の底面には複数個の第二固定部２１（例えばねじ柱）が設けられ、ケーシング２にある物体（例えばメイン・ボードまたはパワー・サプライ）が設置される場合、その物体を第二固定部２１に接触させ、それによって物体をケーシング２内に固定する。例えば、メイン・ボードに第二固定部２１と対応するメイン・ボード孔を設け、各メイン・ボード孔と対応するメイン・ボードねじを通じ、それぞれ各メイン・ボード孔より各第二固定部２１にねじ付ける。こうすればメイン・ボードはしっかりとケーシング２に固定することができる。
【００１４】
本実施例に於いて、図３に示すように、蓋３を設けると、蓋３はケーシング２の頂上面と接触してケーシング２の内部空間及びファン５を遮蔽することができる。また、蓋３には、折曲げ部４に面する端縁からケーシング２の底面方向に当板３１が延伸して設けられ、当板３１はファン５のケーシング２に背向ける面を遮蔽することができる。また、当板３１のファン５に対応する位置には複数個の通気孔３２が設けられ、それら通気孔３２の設計によってファン５は遮蔽されて整然できれいな外観になり、かつケーシング２内の熱エネルギーは同じく迅速に排出される。
【００１５】
また、図３に示すように、ケーシング２の頂上面には複数個の保護部３３が設けられ、それら保護部３３はそれぞれ導電性のあるシート（例えば鉄片）であり、保護部３３の一端はケーシング２の頂上面と接触し、蓋３がケーシング２を覆うと、保護部３３の他端は蓋３のケーシング２の頂上面に面する一面と接触し、ケーシング２は導電材（例えばステンレス・スチール）から構成されているので、ケーシング２及び蓋３の間は閉鎖区域となり電磁ノイズを防ぐ目的が達成される。
【００１６】
さらに、図３に示すように、ケーシング２の折曲げ部４に隣接する位置には、蓋３へ向かう方向に導電性のある当て付け部３４が延伸して設けられ、蓋３と当て板３１とがケーシング２に連接されると、当て付け部３４は当て板３１と互いに接触し、それによって電磁ノイズは当て板３１とケーシング２との隙間からケーシング２の外へ漏れ出せないようになる。
【００１７】
さらに、図３に示すように、ケーシング２の頂上面の両側面の蓋３に面する位置に複数個の第三固定部３５（例えばねじ孔）を設け、蓋３の各第三固定部３５に対応する位置にはそれぞれ蓋孔３６を設けてもよく、これにより、蓋３がケーシング２に蓋されると蓋孔３６に対応した蓋ねじ３７をそれぞれ対応の蓋孔３６に沿って対応する第三固定部３５へ挿入すれば、蓋３はケーシング２にしっかり固定される。
【図面の簡単な説明】
【００１８】
【図１】従来のケーシングとファンの構造を示す分解斜視図である。
【図２】本考案の一実施例によるファン取り付け台のあるケーシング構造の部分拡大図である。
【図３】本考案の一実施例によるファン取り付け台のあるケーシング構造を示す分解斜視図である。
【符号の説明】
【００１９】
２  ケーシング、２１  第二固定部、３  蓋、３１  当て板、３２  通風孔、３３  保護部、３４  当て付け部、３５  第三固定部、３６  蓋孔、３７  蓋ねじ、４  折曲げ部、４１  第一固定部、５  ファン、５１  モータ、５２  ファンブレード、５３  枠台、５４  円形溝、５５  ファンねじ孔、５６  ねじ付け部材、６  通気孔
【図１】
0003109174.tif 000003
【図２】
0003109174.tif 000004
【図３】
0003109174.tif 000005